(57)【特許請求の範囲】
【請求項１】
デジタル放送の放送信号を選択して受信するチューナと、
前記チューナが前記放送信号を受信して得られる映像データを記録媒体に記録させる記録制御手段と、
前記記録媒体を用いた前記映像データの記録予約を設定する記録予約設定手段と、
前記外部装置を、前記記録予約に従い前記記録媒体に記録された予約映像データまたはその複製映像データの移動予約の対象として登録する外部装置登録手段と、
前記記録予約設定手段によって前記記録予約が設定されるときに、前記移動予約を前記外部装置登録手段に登録されているいずれかの登録外部装置に前記予約映像データまたは前記複製映像データを移動させるための予約として、前記予約映像データまたは前記複製映像データが外部装置に移動される移動日時を含めて設定する移動予約設定手段と、
前記予約映像データまたは前記複製映像データを前記外部装置に適合した形式に変換するデータ変換手段と、
前記移動予約設定手段によって前記移動予約が設定されているときに、前記移動予約にしたがい、前記データ変換手段により変換された前記予約映像データまたは前記複製映像データを外部装置へ移動させる映像データ移動手段と、
前記移動予約設定手段により設定された前記移動日時に前記映像データ移動手段が前記予約映像データまたは前記複製映像データを外部装置へ移動させるように制御する移動制御手段と、
前記外部装置が電源オンであるか否かを判定し、前記外部装置が電源オフである場合に、前記外部装置の電源をオンにする制御手段と、
前記映像データを用いて映像を表示する映像表示手段と
を有することを特徴とする放送受信装置。
【請求項２】
デジタル放送の放送信号を選択して受信するチューナと、前記チューナが前記放送信号を受信して得られる映像データを記録媒体に記録させる記録制御手段と、前記記録媒体を用いた前記映像データの記録予約を設定する記録予約設定手段と、前記外部装置を、前記記録予約に従い前記記録媒体に記録された予約映像データまたはその複製映像データの移動予約の対象として登録する外部装置登録手段と、前記記録予約設定手段によって前記記録予約が設定されるときに、前記移動予約を前記外部装置登録手段に登録されているいずれかの登録外部装置に前記予約映像データまたは前記複製映像データを移動させるための予約として、前記予約映像データまたは前記複製映像データが外部装置に移動される移動日時を含めて設定する移動予約設定手段と、前記予約映像データまたは前記複製映像データを前記外部装置に適合した形式に変換するデータ変換手段と、前記移動予約設定手段によって前記移動予約が設定されているときに、前記移動予約にしたがい、前記データ変換手段により変換された前記予約映像データまたは前記複製映像データを外部装置へ移動させる映像データ移動手段と、前記移動予約設定手段により設定された前記移動日時に前記映像データ移動手段が前記予約映像データまたは前記複製映像データを外部装置へ移動させるように制御する移動制御手段と、前記映像データを用いて映像を表示する映像表示手段とを備えた放送受信装置に適用される録画予約方法であって、
前記放送受信装置の制御手段により、前記外部装置が電源オンであるか否かを判定し、前記外部装置が電源オフである場合に、前記外部装置の電源をオンにすることを特徴とする録画予約方法。
【発明の詳細な説明】
【技術分野】
【０００１】
本発明は、地上放送、衛星放送等のテレビ放送の受信手段を備えた放送受信装置およびその放送受信装置に適用される録画予約方法に関する。
【背景技術】
【０００２】
従来、地上放送、衛星放送等のテレビ放送の受信手段を備えた放送受信装置は様々なタイプのものが実用化されている。近年の放送受信装置は従来のアナログ放送に加えてデジタル放送の放送波を受信し、受信した放送波から取り出した映像信号を用いて番組の映像を表示するデジタル放送に対応した装置が普及している。
【０００３】
近年、放送受信装置が家庭内で複数台使用される機会が増えてきている。従来、そのような場合に対応して、コンテンツの再生および記録の少なくとも一方に関連する機器のリソース情報を他機器から主機器に送信してリソース情報を集中管理するようにした機器管理システムが開示されている（例えば特許文献１参照）。
【特許文献１】特開２００５−２６７６１９号公報
【発明の開示】
【発明が解決しようとする課題】
【０００４】
ところで、デジタル放送を受信するデジタル放送受信装置では、ハードディスク装置（以下「ＨＤＤ」という）やＤＶＤ−ＲＡＭ、ＤＶＤ−Ｒ等の内蔵または外付けの記録媒体に映像データを記録、再生することも可能となっており、録画を予約することも可能となっている。
【０００５】
しかしながら、従来の放送受信装置は、どの番組を録画するかの予約ができるにすぎず、録画した番組を他の装置で再生するときは、記録媒体から他の装置やＳＤ（Secure  Digital）メモリカードなどのリムーバブルメディアに映像データを移動させるための操作を行わねばならなかった。
【０００６】
一方、放送受信装置がデジタル放送を受信して得られる映像データはデジタルデータであり、劣化させることなく複製することが可能であるため、再生に用いることのできる装置や映像データを複製できる範囲が厳しく制限されている。
【０００７】
例えば地上デジタル放送に関しては、社団法人  電波産業会（以下、ＡＲＩＢ）が発行している、「地上デジタルテレビジョン放送運用規定  技術資料  ＡＲＩＢ  ＴＲ−Ｂ１４」の「第八編  地上デジタルテレビジョン放送  コンテンツ保護規定」において、録画、蓄積、複製、移動などの詳細が規定されている。また、ＢＳ／ＣＳ放送に関しては、同じくＡＲＩＢが発行している、「ＢＳ／広帯域ＣＳデジタル放送運用規定  技術資料  ＡＲＩＢ  ＴＲ−Ｂ１５」の第八編において、録画、蓄積、複製、移動などの詳細が規定されている。
【０００８】
しかしながら、近い将来、デジタル形式の映像データの複製回数の制限が緩和されることが想定される。そうすると、その緩和に伴い、記録された映像データを複製して、他の装置で再生する機会が増えることが予想されるが、それでも、従来の放送受信装置では、映像データを他の装置やリムーバブルメディアに移動させるための操作をユーザが行わねばならず、利便性に乏しかった。
【０００９】
そこで、本発明は上記課題を解決するためになされたもので、ＨＤＤなどの記録媒体に録画した番組を他の装置で再生する際の利便性を高めた放送受信装置およびそのような利便性を高めることを可能にする録画予約方法を提供することを目的とする。
【００１０】
なお、本発明において、デジタル放送の「録画」や「記録媒体への記録」とは、前記ＡＲＩＢ  ＴＲ−Ｂ１４もしくはＡＲＩＢ  ＴＲ−Ｂ１５の第八編で規定されている「蓄積機能」による記録を意味するものとする。
【課題を解決するための手段】
【００１１】
上記課題を解決するため、本発明は、デジタル放送の放送信号を選択して受信するチューナと、そのチューナが放送信号を受信して得られる映像データを記録媒体に記録させる記録制御手段と、記録媒体を用いた映像データの記録予約を設定する記録予約設定手段と、外部装置を、記録予約に従い記録媒体に記録された予約映像データまたはその複製映像データの移動予約の対象として登録する外部装置登録手段と、その記録予約設定手段によって記録予約が設定されるときに、移動予約を外部装置登録手段に登録されているいずれかの登録外部装置に予約映像データまたはその複製映像データを移動させるための予約として、予約映像データまたはその複製映像データが外部装置に移動される移動日時を含めて設定する移動予約設定手段と、予約映像データまたはその複製映像データを外部装置に適合した形式に変換するデータ変換手段と、その移動予約設定手段によって移動予約が設定されているときに、その移動予約にしたがい、データ変換手段により変換された予約映像データまたはその複製映像データを外部装置へ移動させる映像データ移動手段と、その移動予約設定手段により設定された移動日時に映像データ移動手段が予約映像データまたはその複製映像データを外部装置へ移動させるように制御する移動制御手段と、その外部装置が電源オンであるか否かを判定し、外部装置が電源オフである場合に、前記外部装置の電源をオンにする制御手段と、映像データを用いて映像を表示する映像表示手段とを有する放送受信装置を特徴とする。
【００１２】
また、本発明は、デジタル放送の放送信号を選択して受信するチューナと、そのチューナが放送信号を受信して得られる映像データを記録媒体に記録させる記録制御手段と、記録媒体を用いた映像データの記録予約を設定する記録予約設定手段と、外部装置を、記録予約に従い記録媒体に記録された予約映像データまたはその複製映像データの移動予約の対象として登録する外部装置登録手段と、その記録予約設定手段によって記録予約が設定されるときに、移動予約を外部装置登録手段に登録されているいずれかの登録外部装置に予約映像データまたはその複製映像データを移動させるための予約として、予約映像データまたはその複製映像データが外部装置に移動される移動日時を含めて設定する移動予約設定手段と、予約映像データまたはその複製映像データを外部装置に適合した形式に変換するデータ変換手段と、その移動予約設定手段によって移動予約が設定されているときに、その移動予約にしたがい、データ変換手段により変換された予約映像データまたはその複製映像データを外部装置へ移動させる映像データ移動手段と、その移動予約設定手段により設定された移動日時に映像データ移動手段が予約映像データまたはその複製映像データを外部装置へ移動させるように制御する移動制御手段と、映像データを用いて映像を表示する映像表示手段とを備えた放送受信装置に適用される録画予約方法であって、前記放送受信装置の制御手段により、外部装置が電源オンであるか否かを判定し、前記外部装置が電源オフである場合に、外部装置の電源をオンにする録画予約方法を提供する。
【発明の効果】
【００１３】
以上詳述したように、本発明によれば、記録媒体に録画した番組を他の装置で再生する際の利便性を高めた放送受信装置およびそのような利便性を高めることを可能にする録画予約方法が得られる。
【発明を実施するための最良の形態】
【００１４】
以下、本発明の実施の形態について説明する。なお、同一要素には同一符号を用い、重複する説明は省略する。
【００１５】
図１は、デジタル放送受信装置１１と、デジタル放送受信装置１１を中心として構成されるネットワークシステム１００の構成を示すブロック図である。
【００１６】
デジタル放送受信装置１１は、キャビネット１２と、キャビネット１２を起立させて支持する支持台１３とを有している。キャビネット１２は、液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１７】
デジタル放送受信装置１１は、映像を表示する表示手段としての液晶表示装置１４によって映像を表示する映像表示装置であって、ＨＤＤ２４などから入力する映像信号を用いて映像を表示する。
【００１８】
デジタル放送受信装置１１は、例えばＳＤ（Secure  Digital）メモリカード、ＵＳＢメモリ等のメモリカード１９が着脱可能となっており（図２参照）、このメモリカード１９を用いて映像データの記録や映像信号の再生が行われるようになっている。
【００１９】
そして、デジタル放送受信装置１１は、ＬＡＮ（Local  Area  Network）端子２１およびＵＳＢ端子２２を有している。
【００２０】
ＬＡＮ端子２１は、イーサネットを用いた一般的なＬＡＮ対応ポートとして使用される。このＬＡＮ端子２１は、例えばハブ２３を介して、ＬＡＮ対応のＨＤＤ２４、外部装置としてのＰＣ（Personal  Computer）２５およびＨＤＤ内蔵のＤＶＤ（Digital  Versatile  Disk）レコーダ２６等の機器が接続され、これらの機器と情報伝送を行なうために使用される。
【００２１】
ＵＳＢ端子２２は、ＵＳＢケーブルを介して外部装置としての携帯音楽プレーヤ２７が接続される。このＵＳＢ端子２２およびＬＡＮ端子２１は、外部装置が接続される接続部としての機能を有している。なお、携帯音楽プレーヤ２７は液晶表示パネル等を用いた表示画面を有し、映像の再生が可能なものとしている。
【００２２】
次に、図２を参照してデジタル放送受信装置１１の内部の構成について説明する。図２はデジタル放送受信装置１１の内部の主要な構成を示すブロック図である。
【００２３】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００２４】
入力端子４４には、ＢＳ／ＣＳデジタル放送受信アンテナ４３で受信した衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選局する。
【００２５】
このチューナ４５で選局された放送信号はＰＳＫ復調器４６に供給される。ＰＳＫ復調器４６はデジタルの映像信号及び音声信号の復調処理を行い、信号処理部４７に出力する。
【００２６】
入力端子４９には、地上放送受信アンテナ４８で受信した地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選局する。
【００２７】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００２８】
また、入力端子４９には、地上放送受信アンテナ４８で受信した地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選局する。
【００２９】
このチューナ５２で選局された放送信号はアナログ復調器５３に供給される。アナログ復調器５３は、アナログの映像信号及び音声信号の復調処理を行い、信号処理部４７に出力する。
【００３０】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３１】
また、信号処理部４７には、複数（図示の場合は４つ）の入力端子５６ａ，５６ｂ，５６ｃ，５６ｄが接続されている。これら入力端子５６ａ〜５６ｄは、外部装置としてのＤＶＤレコーダ２６などから、アナログの映像信号及び音声信号を入力可能とするものである。
【００３２】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００３３】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３４】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。液晶表示装置１４は、アナログ映像信号を用いて映像を表示する。これらの信号処理部４７、グラフィック処理部５４および映像処理部５８によって映像信号が再生され、これらが映像再生手段を構成している。なお、映像処理部５８はアナログ映像信号を出力端子５９ａを介して外部に導出する。
【００３５】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００３６】
そして、デジタル放送受信装置１１は、制御部６０と、カードホルダ６６および各種インターフェース（カードＩ／Ｆ６５，通信Ｉ／Ｆ６８）を有し、さらに内蔵ＨＤＤ６９を有している。
【００３７】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００３８】
ＣＰＵ６１は、ＲＯＭ６２に記憶されているプログラムにしたがい各種手段（記録制御手段、記録予約設定手段、移動予約設定手段、映像データ移動手段、データ変換手段、移動制御手段）として作動する一方、他の構成要素との信号の入出力を行い、デジタル放送受信装置１１全体の動作制御を行う。
【００３９】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。
【００４０】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４１】
また、制御部６０は、通信Ｉ／Ｆ６８を介してＬＡＮ端子２１に接続されている。これにより、制御部６０は、ＬＡＮ端子２１に接続されたＬＡＮ対応ＨＤＤ２４などの各装置と通信Ｉ／Ｆ６８を介して情報伝送を行うことができる。
【００４２】
（動作内容の説明）
次に、以上の構成を有するデジタル放送受信装置１１が実行する移動用録画予約の動作内容について説明する。本実施の形態において、移動用録画予約とは、内蔵ＨＤＤ６９などの記録媒体を用いて映像データを記録するとともに、その記録された映像データ（以下「予約映像データ」という）またはその複製となる映像データ（以下「複製映像データ」という）を外部装置に移動するための予約を意味している。
【００４３】
そして、移動用録画予約では、まず、ＣＰＵ６１により録画予約が設定される。この場合、ユーザがリモートコントローラ１７を用いて操作メニューから録画予約を選択する操作を行う。すると、液晶表示装置１４に例えば図３に示すような番組表２００が表示される。ユーザは番組表２００から録画しようとする番組を選択する。
【００４４】
この番組表２００では、７種類のチャンネルについて、放送予定の番組が所定の時間ごとに区切られた枠内に表示されている。なお、図３では、「カナダゆとりの旅」という番組が録画予約の対象として選択された場合を示している。
【００４５】
ユーザが録画しようとする番組を選択して、リモートコントローラ１７を操作すると、録画予約を行うために録画予約メニュー（図示せず）が液晶表示装置１４に表示される。ユーザがこの録画予約メニューを見ながら、例えば画質（ビットレート）、音質や記録先（例えば、内蔵ＨＤＤ６９やＬＡＮ対応ＨＤＤ２４など）を指定する入力操作を行い、入力完了後に所定の操作を行うと（例えば、「決定キー」を入力する）、録画予約が設定されるとともに、液晶表示装置１４に図４（ａ）に示す移動予約メニュー２５０が表示される。
【００４６】
この移動予約メニュー２５０は、録画予約にしたがい記録された予約映像データまたは複製映像データを外部装置に移動するための予約（移動予約）を行うか否かを入力する画面であり、移動予約を行うか否かを示す移動予約フラグが入力内容にしたがい設定される。
【００４７】
また、この移動予約メニュー２５０で、図４（ａ）に示すように、移動予約「する」の入力を行い所定の操作を行うと、続いて図４（ｂ）に示す移動予約メニュー２５１が表示される。この移動予約メニュー２５１は移動予約を実行するのに必要な情報を入力する画面で、移動先指定部２５２、移動日時指定部２５３を有している。
【００４８】
移動先指定部２５２では、予約映像データ等の移動先となる外部装置を指定する。この移動先指定部２５２では、図５に示す移動先登録画面２６０でユーザが移動先として予め登録した外部装置が表示される。
【００４９】
図５では、移動先の外部装置として、ユーザがＤＶＤレコーダ、携帯音楽プレーヤおよびＰＣを登録した場合を示している。「蓄積機能」の対象とならない外付けＨＤＤ２４やメモリカード１９も外部装置となりえるが、図５では未登録となっている。
【００５０】
なお、移動先の外部装置を登録する際には、映像データを登録しようとする外部装置に適合した形式に変換するデータ変換の指定も行えるものとする。データ変換とは、詳しくは後述するが、解像度の変換やスケーリングのほか、ＣＯＤＥＣの変換などである。記録媒体に記録した映像データについてデータ変換が必要な場合に、そのようなデータ変換を予め指定できるものとする。例えば、携帯音楽プレーヤ２７で表示可能な解像度がＶＧＡであった場合には、解像度をＶＧＡへ変換することを指定することができる。
【００５１】
さらに、データ変換の指定では、移動先の外部装置を登録するときにはデフォルト値が登録されるものとしているが、個別に設定することも可能である。例えば、携帯音楽プレーヤ２７へのデフォルト値がＶＧＡであった場合でも、ＱＶＧＡを指定すれば、映像データがＱＶＧＡに変換されたのち移動されるものとする。
【００５２】
これらの外部装置としての登録は、ユーザが図５から指定した外部装置を示すデータを外部装置登録手段としてのＣＰＵ６１が不揮発性メモリ６４に記憶させて行われる。なお、図４（ｂ）では、携帯音楽プレーヤ２７が移動先の外部装置として指定された場合を示している。移動日時指定部２５３では、ユーザが予約映像データ等を移動させる移動日時を指定できる。
【００５３】
そして、ユーザが移動予約メニュー２５１を参照しながら所望のデータ入力を行い、入力完了後に所定の操作を行うと、ＣＰＵ６１が記録予約設定手段としての動作を行い、録画予約メニューからの入力データに基づき、後述する録画予約情報を生成して録画予約テーブルに格納し、録画予約を設定する。
【００５４】
また、このとき、ＣＰＵ６１は移動予約設定手段としての動作を行い、図４（ａ）、（ｂ）にしたがい、後述する移動予約情報を生成して移動予約テーブルに格納し、移動予約を設定する。なお、図４（ａ）で移動予約「する」の入力を行った場合は、移動予約フラグがオン、「しない」で入力を行った場合は、移動予約フラグがオフで移動予約情報が生成される。
【００５５】
ここで、録画予約情報とは、映像データの記録に先立ち予め設定された情報であって、チャンネル番号、録画開始時刻、録画終了時刻、録画モード（録画に使用するコーデックの種別、ビットレートなどの情報）などの情報が含まれている。ＣＰＵ６１はこのような録画予約情報を録画予約テーブルに格納して保持している。そして、ＣＰＵ６１は現在時刻を監視していて、録画予約テーブルに格納されているいずれかの録画予約情報の録画開始時刻になると録画動作が開始されるように制御する。
【００５６】
また、移動予約情報とは、録画予約情報にしたがい録画を行って得られる予約映像データまたはその複製となる複製映像データを外部装置に移動させるのに先立ち予め設定された情報であって、移動予約フラグ、移動先、移動日時、データ変換の指定などが含まれている。ＣＰＵ６１は移動予約情報にしたがい予約映像データ等を外部装置に移動させる（詳しくは後述する）。
【００５７】
続いて、映像データ移動処理について、図６に示すフローチャートを参照して説明する。ＣＰＵ６１はデジタル放送受信装置１１の電源がオンになったときに図６に示すフローチャートに沿って映像データ移動処理を実行する。図６は映像データ移動処理の一例を示している。また、電源がオンになっている間において、外部装置が接続されたときに映像データ移動処理を実行してもよいし、定期的に映像データ移動処理を実行してもよい。さらに、図４（ｂ）に示したようにして指定された移動日時に実行してもよい。なお、移動日時を指定については、「毎日、23:00」、「毎週、日曜日、20:00」などの指定も可能である。
【００５８】
そして、ＣＰＵ６１は映像データ移動処理を開始すると、移動予約情報を参照して移動予約フラグがオンになっているか否かを判定する（Ｓ１）。ここで、ＣＰＵ６１は移動予約フラグがオンになっているときはＳ２に動作を進めるが、そうでなければ映像データ移動処理を終了する。
【００５９】
次に、ＣＰＵ６１は移動予約情報を参照して移動先を調べ、その移動先としての外部装置（前述の場合は携帯音楽プレーヤ２７）が接続されているか否かを判定する（Ｓ２）。ここで、外部装置が接続されていればＳ３に動作を進め、そうでなければ映像データ移動処理を終了する。
【００６０】
また、ＣＰＵ６１は移動すべき映像データが生成されているか否か（前述の場合では内蔵ＨＤＤ６９に移動すべき映像データがあるか否か）を判定する（Ｓ３）。ここで、映像データがあればＳ４に動作を進め、そうでなければ映像データ移動処理を終了する。
【００６１】
さらに、ＣＰＵ６１はＳ４に動作を進めると、データ変換手段としての動作を行い、予約映像データを移動先としての外部装置に適合した形式に変換するデータ変換を行う。そして、ＣＰＵ６１はＳ５に動作を進めて映像データ移動手段としての動作を行い、Ｓ４で変換された予約映像データを外部装置に移動させる。この場合、図９に示すように、ＣＰＵ６１が内蔵ＨＤＤ６９から、対応する予約映像データ３００を読み取り、それを外部装置としての携帯音楽プレーヤ２７に移動させる。
【００６２】
以上のように、デジタル放送受信装置１１では、録画予約が設定されるときに、録画予約に引き続いて移動予約が設定されるようになっているので、ユーザが録画予約と移動予約とを一括して行えるようになっている。そのため、録画予約で録画した番組を外部装置で再生しようという場合の利便性が高くなっている。
【００６３】
また、デジタル放送受信装置１１は、移動フラグがオンになるようにして移動予約が設定されていると、内蔵ＨＤＤ６９に録画が行われたあと、その録画で得られた予約映像データをユーザの操作なく自動的に外部装置に移動させる。そのため、映像データを移動させるための操作をユーザが行う必要がなく、その分の利便性も高められている。
【００６４】
一方、デジタル放送受信装置１１では、図４に示したように、移動予約を設定する際に、予約映像データを移動させる移動日時を指定することができる。この点を考慮すると、映像データ移動処理を図７に示すように、デジタル放送受信装置１１におけるメインルーチンに組み込んで実行することもできる。このメインルーチンは電源投入期間中、繰り返し実行されている。
【００６５】
この場合、デジタル放送受信装置１１では、ＣＰＵ６１の制御により、電源投入後は放送信号の受信および映像の表示が行われる（Ｓ１０）。そのため、Ｓ１０を実行した後、ＣＰＵ６１がＳ１１に動作を進め、移動予約情報を参照して現在の時刻が移動日時になっているかどうかを判定し、移動日時になっていればＳ１２に動作を進め、そうでなければＳ１３に動作を進める。
【００６６】
Ｓ１２では、ＣＰＵ６１が移動制御手段としての動作を行い設定された移動日時に予約映像データ等を移動させる。この場合、ＣＰＵ６１は図６に示したフローチャートに沿って前述のとおり映像データ移動処理を行う。また、Ｓ１３では、ＣＰＵ６１がデジタル放送受信装置１１において電源オフになったか否かを判定し、電源オフになったときは映像データ移動処理を終了し、そうでなければＳ１０に戻って上記動作を繰り返す。
【００６７】
こうすると、ユーザが移動予約の日時を指定しているときは、その日時になったときに映像データ移動処理が行われ、その時点で予約映像データが内蔵ＨＤＤ６９に記録されているなどの条件成立によって予約映像データの移動が行われるので、一層利便性を高めることができる。
【００６８】
さらに図示はしないが、デジタル放送受信装置１１のメイン電源のオン／オフに関係なく、ユーザが移動予約の日時を指定しているときは、その日時になったときに映像データ移動処理のみを実行することも可能である。すなわち、デジタル放送受信装置１１のメイン電源のオン／オフに関係なく、図７のＳ１１とＳ１２の処理を繰り返し実行するようにすることもできる。なお、この場合、Ｓ１２の移動処理の実行時には、必要であればメイン電源を自動的に入れるものとするが、ユーザが視聴中でない場合には画像表示、音声出力は行わないものとする。
【００６９】
さらに、移動先の外部装置がデジタル放送受信装置１１に接続されていても、電源オフになっている場合も考えられる。その場合を考慮して映像データ移動処理を図８に示すようにして実行することもできる。
【００７０】
この場合、図６と比較してＳ２、Ｓ３の間にＳ２１、Ｓ２２を実行する点が異なっている。Ｓ２１では、移動先の外部装置が電源オンであるか否かを判定する。ここで、電源オンであればＳ２２を実行せずにＳ３に動作を進めるが、電源オフであればＳ２２に動作を進め、移動先の外部装置の電源をオンにする。これは例えばWake  On  LAN機能を用いて実現できる。その後、Ｓ３に動作を進め、上記同様に処理を行う。
【００７１】
移動先の外部装置では、予め定められたフォーマットのWake  On  LANの起動メッセージを受信したときにネットワークＩ／Ｆが起動信号を生成し、その起動信号を受けて電源制御モジュールが電源をオンにして（起動して）電源投入状態にする。そのため、Ｓ２２では、そのようなフォーマットの起動メッセージを送信する。
【００７２】
上記の実施形態では、予約映像データを外部装置に移動させる場合を例にとって説明しているが、近い将来、デジタル形式の映像データの複製回数の制限が緩和される場合、移動予約が設定されているときは、ＣＰＵ６１が複製回数の制限にしたがい予約映像データを複製した複製映像データを生成し、その複製映像データを外部装置に移動させてもよい。この場合、例えば、Ｓ３、Ｓ４の間で予約映像データを複製して複製映像データを生成する処理を行い、Ｓ４では、その複製映像データを変換し、Ｓ５では、変換された複製映像データを移動させればよい。
【００７３】
すなわち、複製回数の制限が緩和され、複製回数の上限がｎ（ｎは２以上）になった場合には、ＣＰＵ６１は、予約映像データを複製した複製映像データを生成し、その複製映像データを外部装置に移動させ、この移動が行われた後の複製可能回数として、“１”減算した“ｎ−１”を管理するものである。なお、複製映像データの生成は必須でなく、予約映像データを外部装置に直接複製した際に、残る複製可能回数として“１”減算した“ｎ−１”と管理しても同様である。
【００７４】
こうすると、デジタル形式の映像データの複製回数の制限が緩和されて複製した映像データを複数生成できるようになり、複製した映像データを用いて他の装置で映像の再生を行う場合でも、前述のように移動予約を設定してユーザの利便性を高めることができる。
【００７５】
上記の実施形態では、放送受信装置として液晶表示装置１４を備えたテレビジョン受信装置としてのデジタル放送受信装置１１を例にとって説明しているが、本実施の形態は、ＤＶＤプレーヤやＤＶＤレコーダといったチューナを備え映像データの記録や再生を行える放送受信装置にも適用することもできる。
【００７６】
また、デジタル放送受信装置１１に記録媒体として内蔵ＨＤＤ６９が接続される場合を例にとって説明しているが、本発明は、ＤＶＤ−Ｒ、ＤＶＤ−ＲＡＭなどの光ディスクを用いる記録媒体が接続される場合についても適用することができる。
【００７７】
更に、内蔵ＨＤＤ６９に予約映像データを記録する場合を例にとって説明しているが、外付けＨＤＤ２４に予約映像データを記録してもよい。
【００７８】
外部装置として携帯音楽プレーヤ２７に予約映像データを移動させる場合を例にとって説明しているが、他の外部装置やＳＤメモリカードなどのリムーバブルメディアに予約映像データを移動させる場合についても適用することができる。
【００７９】
そして、図１０は、以上説明した移動予約の状態を確認するための一覧表の一例を示したものである。これはデジタル放送受信装置１１に移動予約を設定した番組の移動状態をユーザが確認するための一覧表であり、リモコン操作により、ＣＰＵ６１が管理しているデータから作成され、ＯＳＤ信号生成部５７により表示画像化したうえで、液晶表示装置１４に表示されたものである。
【００８０】
図１０は、２００７年８月８日の１２時以降のあるタイミングで確認した場合を図示したものであるが、例えば、番組名「カナダゆとりの旅」に関しては、ＤＶＤプレーヤへの移動予約は、時間指定の無い「未指定」で、状態の欄に「完了」と表示され既に移動が完了している状態で表示されている。
【００８１】
しかし、同じ番組の携帯音楽プレーヤへの移動は、携帯音楽プレーヤが接続されていなかった、または図１０を表示したのが２００７年８月８日の２３時以前であったなどの理由により、状態の欄に「未」と表示され、移動が完了していないことが確認できる。また、移動予約数が、移動の実行が未了のものも含め２件設定されているので、残る複製可能回数の欄の表示が“ｎ−２”となっている。
【００８２】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００８３】
【図１】本発明の実施の形態に係るデジタル放送受信装置を含むネットワークシステムの構成を示すブロック図である。
【図２】デジタル放送受信装置の内部の主要な構成を示すブロック図である。
【図３】番組表の一例を示す図である。
【図４】デジタル放送受信装置に表示されるメニュー画面の一例を示す図で、（ａ）は移動可否を指定する移動予約メニュー、（ｂ）は移動先などを指定する移動予約メニューを示す図である。
【図５】移動先登録画面の一例を示す図である。
【図６】映像データ移動処理の動作手順を示すフローチャートである。
【図７】映像データ移動処理を含むメインルーチンの動作手順を示すフローチャートである。
【図８】別の映像データ移動処理の動作手順を示すフローチャートである。
【図９】映像データが移動されるときを模式的に示した図である。
【図１０】移動予約の状態を確認するための一覧表の一例を示す図である。
【符号の説明】
【００８４】
１１…デジタル放送受信装置、２４…ＨＤＤ、２６…ＤＶＤレコーダ、２７…携帯音楽プレーヤ、６０…制御部、６１…ＣＰＵ、６９…内蔵ＨＤＤ、２５０，２５１…移動予約メニュー、２６０…移動先登録画面、３００…予約映像データ。
【図１】
0005022825.tif 000002
【図２】
0005022825.tif 000003
【図３】
0005022825.tif 000004
【図４】
0005022825.tif 000005
【図５】
0005022825.tif 000006
【図６】
0005022825.tif 000007
【図７】
0005022825.tif 000008
【図８】
0005022825.tif 000009
【図９】
0005022825.tif 000010
【図１０】
0005022825.tif 000011